(57)【要約】【課題】本発明は、録画処理の開始時や終了時、または録画処理中に、この録画機能と通信機能、または録画機能と電源切替機能の優先度を制御することができる携帯電話機を提供する。【解決手段】動画像を受信して録画する機能を有する携帯電話機であって、録画開始時刻、録画終了時刻、録画チャンネルを含んだ録画情報、及び、録画中に電話通信処理を行うか否かを示す録画中電波モード情報を記憶する記憶手段と、録画開始時刻に基づいて録画処理を開始するとともに録画終了時刻に基づいて録画処理を終了する録画手段（Ｓ１１３乃至Ｓ１１７）と、録画中電波モード情報が電話通信処理を行わないように設定されていた場合、録画処理を開始してから終了するまでの間、電話通信処理を禁止する禁止手段（Ｓ１０９、Ｓ１１１）と、を備えた。【選択図】  図６
2008306559.tif 000002
【特許請求の範囲】
【請求項１】
動画像を受信して録画する機能を有する携帯電話機であって、
録画開始時刻、録画終了時刻、録画チャンネルを含んだ録画情報、及び、録画中に電話通信処理を行うか否かを示す録画中電波モード情報を記憶する記憶手段と、
前記記憶手段に記憶された録画開始時刻に基づいて録画処理を開始するとともに前記記憶手段に記憶された録画終了時刻に基づいて録画処理を終了する録画手段と、
前記記憶手段に記憶された録画中電波モード情報が電話通信処理を行わないように設定されていた場合、前記録画手段が録画処理を開始してから終了するまでの間、電話通信処理を禁止する禁止手段と、
を備えたことを特徴とする携帯電話機。
【請求項２】
動画像を受信して録画する機能を有する携帯電話機であって、
録画開始時刻、録画終了時刻、録画チャンネルを含んだ録画情報、及び、録画終了後に電源をＯＦＦにするか否かを示す録画後電源モード情報を記憶する記憶手段と、
前記記憶手段に記憶された録画開始時刻に基づいて録画処理を開始するとともに前記記憶手段に記憶された録画終了時刻に基づいて録画処理を終了する録画手段と、
前記記憶手段に記憶された録画後電源モード情報が電源をＯＦＦにするように設定されていた場合、前記録画手段が録画処理を終了した際に、電源をＯＦＦにする電源切替手段と、
を備えたことを特徴とする携帯電話機。
【請求項３】
前記電源切替手段は、前記記憶手段に記憶された録画開始時刻に電源がＯＮであった場合、前記記憶手段に記憶された録画後電源モード情報が録画終了後に電源をＯＦＦにするように設定されていても、前記録画手段が録画処理を終了した際に電源をＯＦＦにしないように制御することを特徴とする請求項２記載の携帯電話機。
【請求項４】
前記電源切替手段は、前記記憶手段に記憶された録画開始時刻に電源がＯＦＦであった場合、電源をＯＮにするように制御することを特徴とする請求項２記載の携帯電話機。
【請求項５】
前記記憶手段は、録画中に出力する音量を示す録画時音量情報を記憶し、
前記録画手段は、前記記憶手段に記憶された録画時音量情報に基づいて、録画処理中に受信した動画像の音声を出力する請求項１または２記載の携帯電話機。
【請求項６】
前記記憶手段は、録画中に表示を行うか否かを示す録画時表示情報を記憶し、
前記録画手段は、前記記憶手段に記憶された録画時表示情報に基づいて、この録画時表示情報が表示を行うように設定されていた場合、録画処理中に受信した動画像の表示処理を行う請求項１または２記載の携帯電話機。
【請求項７】
動画像を受信して録画する機能を有する携帯電話機であって、
前記録画の開始時刻及び終了時刻の情報を含む録画情報を記憶する記憶手段と、
携帯電話機の電源がＯＦＦの場合に、前記設定された開始時刻の情報に基づいて電源をＯＮにし、更にその電源がＯＮに設定されたことに基づいて基地局を介して行う外部との通信を禁止する制御手段と
を備えたことを特徴とする携帯電話機。
【発明の詳細な説明】
【技術分野】
【０００１】
本発明は、動画像を受信して録画する携帯電話機に係り、具体的には、動画像の録画を開始する際や終了する際、または録画中に、電源の状態や電波の状態を制御する携帯電話機に関する。
【背景技術】
【０００２】
現在の地上波デジタル放送が開始されるとともに、携帯電話機に対する地上波デジタル放送の１セグメント部分受信サービスが開始され、多くの携帯電話機がテレビ放送を直接受信・視聴可能な機能を有するようになってきている。
【０００３】
また、携帯電話機において、テレビ放送受信機能・視聴機能が搭載されるのみでなく、受信した地上波デジタル放送の動画像信号を端末内メモリあるいは外部メモリに録画（記録）できるようになってきている。さらには携帯電話機において、地上波デジタル放送の番組情報を受信して予約情報を予め設定しておくことにより、予約録画を行うこともできるようになってきている。
【０００４】
特許文献１に、受信した番組表に基づいて視聴予約情報を設定して予約録画を行うテレビジョン装置が記載されている。このテレビジョン装置によると、例えばユーザが視聴できない時間帯に放送されている地上波デジタル放送の番組を予約録画しておくことで、好きな時間帯にこの番組を視聴することが可能となっている。
【特許文献１】特開２００７−２７８５０号公報
【発明の開示】
【発明が解決しようとする課題】
【０００５】
地上波デジタル放送等のテレビ放送を受信して視聴することで、携帯電話機は、通話の利便性のみならず、小型のテレビとしての利便性も高まってきている。しかしながら、テレビ機能が通話機能や通信機能よりも後になって組み込まれた機能であるため、携帯電話機においてユーザが通信機能とテレビ機能の優先順位を選択できる制御機構については未開発の状況である。よって、携帯電話機において録画処理を行っている最中であっても、他の通信端末から通話や通信を依頼された場合には、録画処理が中止されてしまう恐れがあるという問題があった。
【０００６】
また、電源切替機能とテレビ機能の優先度制御についても制御できない状況であり、ユーザが意図的に携帯電話機の電源をＯＦＦにした状態で予約録画を行った場合であっても、予約録画開始時に電源がＯＮにされ、予約録画終了後に電源がＯＮになったままの状態で放置されてしまう恐れがあった。
【０００７】
本発明は、上記課題を鑑みなされたもので、録画処理の開始時や終了時、または録画処理中に、この録画機能と通信機能、または録画機能と電源切替機能の優先度を制御することができる携帯電話機を提供することを目的とする。
【課題を解決するための手段】
【０００８】
上記課題を解決するために、本発明に係る携帯電話機は、動画像を受信して録画する機能を有する携帯電話機であって、録画開始時刻、録画終了時刻、録画チャンネルを含んだ録画情報、及び、録画中に電話通信処理を行うか否かを示す録画中電波モード情報を記憶する記憶手段と、前記記憶手段に記憶された録画開始時刻に基づいて録画処理を開始するとともに前記記憶手段に記憶された録画終了時刻に基づいて録画処理を終了する録画手段と、前記記憶手段に記憶された録画中電波モード情報が電話通信処理を行わないように設定されていた場合、前記録画手段が録画処理を開始してから終了するまでの間、電話通信処理を禁止する禁止手段と、を備えたことを特徴とする。
【発明の効果】
【０００９】
本発明に係る携帯電話機によると、録画処理の開始時や終了時、または録画処理中に、この録画機能と通信機能、または録画機能と電源切替機能の優先度を制御することが可能となる。
【発明を実施するための最良の形態】
【００１０】
本発明に係る携帯電話機の実施形態について、添付図面を参照しながら説明する。なお、本発明に係る携帯電話機１として、地上波デジタル放送（地上波デジタルワンセグ放送を含む）を受信して録画する動画像録画機能を備えた携帯電話機を例にあげて説明する。
【００１１】
図１は、携帯電話機１のブロック図である。携帯電話機１は、図１に示すように、主制御部１１、電源回路部１２、操作入力制御部１３、ＬＣＤ制御部１４、音声コーデック１５、変復調回路部１６、記録再生部１７、記憶部１８、テレビ制御部１９、及び録画制御部２０を備え、これらはバスにより相互に通信可能に接続されている。
【００１２】
主制御部１１は、様々なデータ処理や演算を行うＣＰＵ（Ｃｅｎｔｒａｌ  Ｐｒｏｃｅｓｓｉｎｇ  Ｕｎｉｔ）を具備し、携帯電話機１の総括的な制御を行うとともに、動画像録画処理や、その他の様々な演算処理や制御処理等を行う。また主制御部１１は、正確な現在時刻を刻む時計を内蔵している。電源回路部１２は、ユーザによる操作キー２１を介した入力に基づいて、あるいは主制御部１１や録画制御部２０による制御に基づいて電源のオン／オフ状態を切り替え、電源がオン状態の場合には電力供給源（バッテリ等）から各部に対して電力を供給して、携帯電話機１を動作可能にする。
【００１３】
操作入力制御部１３は、操作キー２１の入力インタフェースを備え、操作キー２１によって入力されたデータを主制御部１１に伝送する。ＬＣＤ制御部１４は、液晶ディスプレイ２２の表示インタフェースを備え、主制御部１１の制御に基づいて文書データや画像データ、動画像等を液晶ディスプレイ２２に表示する処理を行う。
【００１４】
また携帯電話機１は、音声通話処理を行うことができる。すなわち、音声コーデック１５は、主制御部１１の制御に基づいてマイクロフォン２３で集音した音声からアナログ音声信号を生成する。変復調回路部１６は、音声通話の際に、音声コーデック１５からアナログ信号を入力すると、この信号をデジタル信号に変換して送受信回路部２５に伝送する。送受信回路部２５はこのデジタル音声信号をアンテナ２６を介して送信する。また、変復調回路部１６は、送受信回路部２５がアンテナ２６を介して受信したデジタル音声信号をアナログ音声信号に変換する。音声コーデック１５は、音声通話の際に、変復調回路部１７からアナログ音声信号を取得して、スピーカ２４から音声として出力する。なお、スピーカ２４は、主制御部１１または録画制御部２０からの指示に基づいて音量を変更する。この音量は、例えば「０」乃至「９」等の数値で設定される。
【００１５】
また、携帯電話機１は、他の携帯電話機１や通信機器に対してデータ通信処理を行う。すなわち主制御部１１は、データを受信する際、送受信回路部２５がアンテナ２６を介して受信した受信信号を変復調回路部１６にスペクトラム逆拡散処理させて、データを復元する。このデータは、主制御部１１の指示により、ＬＣＤ制御部１４を介して液晶ディスプレイ２２に表示されたり記憶部１８に記録されたりする。また主制御部１１は、操作入力部１３を介して入力されたデータや記憶部１８に記憶されたデータを送信する際、変復調回路部１６にこのデータに対してスペクトラム拡散処理を行わせ、送受信回路部２５にアンテナ２６を介してこのデータを送信させる。
【００１６】
記録再生部１７は、例えばメモリカードＭ等の外部メモリに対するインタフェースを備え、このメモリカードＭ等に対して書き込み処理や読み込み処理を行う。記録再生部１７は、メモリカードＭが携帯電話機１に電気的に接続されると、主制御部１１の指示に基づいて、このメモリカードＭに対して読み書き処理を行う。
【００１７】
記憶部１８は、主制御部１１や録画制御部２０が処理を行うための処理プログラム等を格納するＲＯＭ（Ｒｅａｄ  Ｏｎｌｙ  Ｍｅｍｏｒｙ）やハードディスク等の磁気的な記憶装置、主制御部１１や録画制御部２０が処理を行う際に使用するデータを一時的に記憶するＲＡＭ（Ｒａｎｄｏｍ  Ａｃｃｅｓｓ  Ｍｅｍｏｒｙ）、主制御部１１や録画制御部２０が処理を行うためのデータを長期的に記憶するフラッシュメモリ等の不揮発性メモリ等の電気的な記憶装置とからなる。なお、主制御部１１や録画制御部２０が使用する処理プログラムは、記憶部１８に予めインストールされていても、送受信回路部２５を介してダウンロードされても良い。
【００１８】
テレビ制御部１９は、地上波デジタル放送（地上波デジタルワンセグ放送も含む。）の動画像信号を受信するチューナ１９ａ、動画像信号等の多重化信号を分離する分離部１９ｂ、画像信号等の符号化信号を復号して再生信号を生成する画像処理部１９ｃを備える。
【００１９】
チューナ１９ａは地上波デジタル放送等の動画像信号を受信するアンテナ１９ｄを備え、放送局（図示せず）から受信した地上波デジタル放送等の動画像信号を受信して分離部１９ｂに伝送する。分離部１９ｂは、チューナ１９ａから受信した動画像信号（多重化信号）を画像信号と音声信号とに分離し、画像信号を画像処理部１９ｃに伝送するとともに、音声信号を音声コーデック１５に伝送する。
【００２０】
画像処理部１９ｃは、分離部１９ｂから画像信号を入力し、この画像信号を所定の符号化方式に対応した復号化方式で復号することにより再生信号を生成する。画像処理部１９ｃがこの再生信号をＬＣＤ制御部１４に伝送すると、ＬＣＤ制御部１４は、この再生信号に基づいて、地上波デジタル放送の動画像を液晶ディスプレイ２２に表示する。また画像処理部１９ｃが音声信号を音声コーデック１５に伝送すると、音声コーデック１５は、この再生信号に基づいて、地上波デジタル放送の音声をスピーカ２４を介して出力する。
【００２１】
録画制御部２０は、録画予約情報３０を記憶する録画予約情報記憶部２０ａを備え、この予約録画情報３０に基づいて録画処理を行う。この録画処理として、録画制御部２０は、録画予約情報３０に基づいてテレビ制御部１９のチューナ１９ａから動画像信号を取得して、これを記憶部１８またはメモリカードＭに記憶する。
【００２２】
録画予約情報３０は、録画処理を行うための予約情報であり、ユーザにより予め記憶されている情報である。録画予約情報３０は、図２に示すように、識別番号を示す録画番号情報３１に対して、録画処理の内容を示し録画処理毎に設定される録画情報４０、録画処理を行う際の設定事項を示す通信情報５０とが対応付けられた情報である。
【００２３】
録画情報４０は、図３に示すように、録画予約情報３０の録画番号情報３１に対して、録画開始時刻を示す録画開始時刻情報４１、録画終了時刻を示す録画終了時刻情報４２、録画処理を行う動画像信号を受信するための周波数チャンネルを示すチャンネル情報４３、録画処理を行う動画像信号を記憶するための記憶先を示す録画メモリ情報４４、録画処理を行っている際にスピーカ２４から出力される音声の音量を示す録画時音量情報４５、及び、録画処理を行っている際に液晶ディスプレイ２２において表示処理を行うか否かを示す録画時表示情報４６が対応付けられた情報である。
【００２４】
録画メモリ情報４４は、例えば記憶部１８に記憶する場合は「本体」と設定され、外部メモリのメモリカードＭに記憶する場合は「メモリカード」と設定される。録画時音量情報４５は、録画処理を行っている間の音量を示し、例えば「０」乃至「９」等の数値で設定されるが、地上波デジタル放送の視聴を行わずに録画処理のみを行う場合は、通常「０」に設定される。録画時表示情報４６は、例えば録画処理を行っている間に液晶ディスプレイ２２において表示処理を行う場合に「ＯＮ」と設定され、表示処理を行わない場合に「ＯＦＦ」と設定される。
【００２５】
図３では、録画番号「００１」の録画処理に対して、録画開始時刻が「２００７／５／５２０：００」、録画終了時刻が「２００７／５／５  ２１：００」であり、録画するチャンネルが「３」であり、動画像信号の記憶先が「本体」であり、録画時の音量が「０」であり、録画時の表示処理を行わない旨の設定がされている。
【００２６】
通信情報５０は、図４に示すように、録画予約情報３０の録画番号情報３１に対して、通信モードを示す通信モード情報５１、録画中の電波モードを示す録画中電波モード情報５２、及び、録画後の電源モードを示す録画後電源モード情報５３が対応付けられた情報である。
【００２７】
通信モードは、例えばこの通信情報５０に基づいて録画処理を行う「自動」かユーザが録画処理の都度に設定する「手動」が設定される。録画中電波モードは、録画中に音声通話処理やデータ通信処理を行うか否かを示し、例えば音声通話処理やデータ通信処理を行う場合は「ＯＮ」、行わない場合は「ＯＦＦ」が設定される。録画後電源モードは、録画終了後に電源をＯＦＦにするか否かを示し、例えば録画終了後に電源を切る場合に「ＯＦＦ」、電源を切らない場合に「ＯＮ」が設定される。図４では、録画番号「００１」の録画処理に対して、通信モードが「自動」、録画中電波モードが「ＯＦＦ」、録画後電源モードが「ＯＦＦ」に設定されている。
【００２８】
携帯電話機１において、ユーザがこの録画予約情報３０を設定する場合、主制御部１１は、液晶ディスプレイ２２に例えば図５に示すような録画予約情報設定画面６０を表示して、ユーザに録画予約情報３０の入力を促す。録画予約情報設定画面６０は、図５に示すように、例えば録画番号「００１」の録画処理に対して、録画開始時刻を入力する録画開始時刻入力欄６１、録画終了時刻を入力する録画終了時刻入力欄６２、録画処理を行うチャンネルを入力するチャンネル入力欄６３、動画像信号の記憶先を入力する録画メモリ入力欄６４、録画処理を行っている際の音量を入力する録画時音量入力欄６５、及び、録画処理を行っている際に表示処理を行うか否かを入力する録画時表示入力欄６６、及び、通信モードを入力する通信モード入力欄６７、録画中の電波モードを入力する録画中電波モード入力欄６８、録画後の電源モードを入力する録画後電源モード入力欄６９を備えている。
【００２９】
また録画予約情報設定画面６０は、各入力欄に入力された内容を録画予約情報３０として録画予約情報記憶部２０ａに記憶して設定するための「ＯＫ」ボタン７０、各入力欄に入力された内容を録画予約情報３０として設定せずに終了するための「キャンセル」ボタン７１を備えている。ユーザは、この録画予約情報設定画面６０の録画開始事項入力欄６１等の各入力欄に操作キー２１を介して情報を入力し、「ＯＫ」ボタン７０を押下することにより、録画予約情報３０の設定を行う。
【００３０】
録画制御部２０は、録画予約情報３０に基づいて、地上波デジタル放送の録画処理を行う。この録画制御部２０が行う録画処理の手順について、図６に示すフローチャートに基づいて説明する。以下、例えば「ステップＳ１０１」を「Ｓ１０１」のように、「ステップ」の語句を省略して説明する。
【００３１】
まず録画制御部２０は、録画の予約時刻になったか否かを判断する（Ｓ１０１）。この際、録画制御部２０は、録画予約情報記憶部２０ａから録画情報４０の録画開始時刻情報４１を取得し、これを主制御部１１が刻んでいる現在時刻とを照らし合わせ、現在時刻が録画開始時刻になったか否かを判断する。例えば図３では、現在時刻が「２００７／５／５  ２０：００」になった場合に、録画の開始時刻になったと判断される。録画の開始時刻になっていない場合（Ｓ１０１のＮｏ）は、録画制御部２０は録画の開始時刻になるまで待機する。
【００３２】
録画の開始時刻になった場合（Ｓ１０１のＹｅｓ）は、録画制御部２０は、電源回路部１２に問い合わせて、携帯電話機１の電源がＯＮになっているか否かを判断する（Ｓ１０３）。ユーザが携帯電話機１にて録画予約を行った際に、録画処理が行われるまで電源をＯＦＦにしている場合があるからである。携帯電話機１の電源がＯＦＦになっている場合（Ｓ１０３のＮｏ）は、録画制御部２０は、電源回路部１２に携帯電話機１の電源をＯＮにするように指示を出し、この指示を受けた電源回路部１２は、携帯電話機１の電源をＯＮにする（Ｓ１０５）。
【００３３】
録画制御部２０は、通信情報５０の通信モード情報５１が「自動」に設定されているか否かを判断する（Ｓ１０７）。通信モード情報５１が「自動」に設定されていない場合（Ｓ１０７のＮｏ）、すなわち通信モード情報５１が「手動」に設定されている場合は、ユーザにより手動で録画処理の操作を行うように設定されているため、例えば図５に示す録画予約情報設定画面６０を表示する（Ｓ１０８）等して、ユーザに録画処理の操作を促す。この場合、録画制御部２０は例えばユーザの操作キー２１を介した指示に基づいて録画処理を行う。
【００３４】
通信モード情報５１が「自動」に設定されている場合（Ｓ１０７のＹｅｓ）は、録画情報４０や通信情報５０に基づいて録画処理を行うように設定されているため、録画制御部２０は、通信情報５０の録画中電波モード情報５２が「ＯＦＦ」に設定されているか否かを判断する（Ｓ１０９）。録画中電波モード情報５２が「ＯＦＦ」に設定されている場合（Ｓ１０９のＹｅｓ）は、録画制御部２０は、音声通話処理及びデータ通信処理等の通信処理を禁止することにより電波モードをＯＦＦにする（Ｓ１１１）。携帯電話機１において電波モードがＯＦＦに設定されると、他の携帯電話機や通信機器から基地局を介して送信されてくる情報を一切受信しない。
【００３５】
録画制御部２０は、録画情報４０の録画時音量情報４５に基づいてスピーカ２４の音量を設定するとともに、録画情報４０の録画時表示情報４６に基づいて液晶ディスプレイ２２に対する表示の有無を設定する（Ｓ１１２）。例えば図３に示す録画情報４０を用いた場合、録画制御部２０は、録画時音量情報４５が「０」に設定されているので、スピーカ２４の音量を「０」に設定するとともに、録画時表示情報４６が「ＯＦＦ」に設定されているので、受信した地上波デジタル放送の動画像信号の画像信号を液晶ディスプレイ２２に表示しない。
【００３６】
録画制御部２０は、録画情報４０のチャンネル情報４３、録画メモリ情報４４に基づいて録画処理を開始する（Ｓ１１３）。例えば図３では、録画制御部２０は、周波数チャンネルを「３」に設定して地上波デジタル放送の動画像信号を受信し、この動画像信号を「本体」である記憶部１８に記憶する。
【００３７】
録画制御部２０は、録画の終了時刻になったか否かを判断する（Ｓ１１５）。この際、録画制御部２０は、録画予約情報記憶部２０ａから録画情報４０の録画終了時刻情報４２を取得し、これを主制御部１１が刻んでいる現在時刻とを照らし合わせ、現在時刻が録画終了時刻になったか否かを判断する。例えば図３では、現在時刻が「２００７／５／５  ２１：００」になった場合に、終了時刻になったと判断される。録画の終了時刻になっていない場合（Ｓ１１５のＮｏ）は、録画制御部２０は録画の終了時刻になるまで録画処理を継続する。
【００３８】
録画の終了時刻になった場合（Ｓ１１５のＮｏ）は、録画制御部２０は、録画処理を終了する（Ｓ１１７）。この際、録画制御部２０は、Ｓ１１２にて設定したスピーカ２４の音量、液晶ディスプレイ２２における表示の有無を、元に戻す（Ｓ１１８）。
【００３９】
録画制御部２０は、録画処理を終了した後に、Ｓ１１１にて電波モードをＯＦＦに設定したか否かを判断する（Ｓ１１９）。Ｓ１１１にて電波モードをＯＦＦに設定した場合は、録画終了時に元の状態に戻す必要があるからである。Ｓ１１１にて電波モードをＯＦＦに設定した場合（Ｓ１１９のＹｅｓ）は、録画制御部２０は、音声通話処理及びデータ通信処理等の通信処理を再び許可することにより、電波モードをＯＮにする（Ｓ１２１）。携帯電話機１において電波モードがＯＮに設定されると、他の携帯電話機や通信機器から基地局を介して送信されてくる情報を受信して音声通話処理やデータ通信処理を行うことが可能となる。
【００４０】
録画制御部２０は、通信情報５０の録画後電源モード情報５３が「ＯＦＦ」に設定されているか否かを判断する（Ｓ１２３）。録画後電源モード情報５３が「ＯＦＦ」に設定されている場合には、録画後に携帯電話機１の電源をＯＦＦにする必要があるからである。
【００４１】
録画後電源モード情報５３が「ＯＦＦ」に設定されている場合（Ｓ１２３のＹｅｓ）は、録画制御部２０は、Ｓ１０５にて電源をＯＮに設定したか否かを判断する（Ｓ１２５）。これは、録画後電源モード情報５３が「ＯＦＦ」に設定されていても、録画開始時刻において元々携帯電話機１の電源がＯＮになっていた場合には、録画後に電源をＯＦＦにする必要がないからである。録画後電源モード情報５３が「ＯＦＦ」に設定されていて、かつＳ１０５にて電源をＯＮに設定した場合（Ｓ１２５のＹｅｓ）は、録画制御部２０は、携帯電話機１の電源をＯＦＦにする（Ｓ１２７）。
【００４２】
なお、録画後電源モード情報５３が「ＯＦＦ」に設定されていて、かつＳ１０５にて電源をＯＮに設定していない場合（録画開始時刻において携帯電話機１の電源がＯＮになっていた場合）であっても、必要に応じて録画終了時に携帯電話機１の電源をＯＦＦにしても良い。
【００４３】
このように、携帯電話機１は、予め記憶されている録画情報４０に基づいて録画処理を行う際に、通信情報５０に基づいて、録画中電波モード情報５２がＯＦＦに設定されている場合、録画処理中に通信処理を禁止するとともに、録画後電源モード情報５３がＯＦＦに設定されている場合、録画処理の終了後に電源をＯＦＦを切り替える。
【００４４】
また携帯電話機１は、予め記憶されている録画情報４０に基づいて録画処理を行う際に、録画時音量情報４５に基づいて録画中に受信した動画像の音量を調整したり、録画時表示情報４６に基づいて受信した動画像の表示状態を切り替えたりする。
【００４５】
なお、携帯電話機１において録画処理を行う際に、録画情報４０の録画開始時刻情報４１や録画終了時刻情報４２、チャンネル情報４３を用いずに、ユーザによる操作キー２１を介した録画指示に基づいて録画処理を行う際であっても、通信情報５０の通信中電波モード情報５２に示された情報に基づいて、例えば録画中電波モード情報５２が「ＯＦＦ」に設定されている場合には、音声通話処理及びデータ通信処理等の通信処理を禁止しても良い。
【００４６】
本発明に係る携帯電話機１によると、録画処理中に音声通話処理やデータ通信処理等の通信処理を行うか否かを示す録画中電波モード情報や、録画処理の終了後に電源をＯＦＦにするか否かを示す録画後電源モード情報等を予め設定しておくことにより、録画処理の開始時や終了時、または録画処理中に、録画機能と通信機能、または録画機能と電源切替機能の優先度を制御することが可能となる。
【００４７】
なお、ステップＳ１１２、Ｓ１１３、Ｓ１１７、Ｓ１１８の処理が録画手段であり、ステップＳ１０９、Ｓ１１１、Ｓ１１９、Ｓ１２１の処理が禁止手段であり、ステップＳＳ１０３、Ｓ１０５、Ｓ１２３乃至Ｓ１２７の処理が電源切替手段である。
【００４８】
実施形態として携帯電話機について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、パーソナルコンピュータ等、地上波デジタル放送等のテレビ録画機能を備えた任意の情報処理装置に適用することができる。
【００４９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００５０】
【図１】本発明に係る携帯電話機のブロック図。
【図２】録画予約情報のデータ構成図。
【図３】録画情報のデータ構成図。
【図４】通信情報のデータ構成図
【図５】録画予約情報設定画面を示す画面図。
【図６】本発明に係る携帯電話機が録画処理を行う際の手順を示すフローチャート。
【符号の説明】
【００５１】
１…携帯電話機，１１…主制御部，１２…電源回路部，１３…操作入力制御部，１４…ＬＣＤ制御部，１５…音声コーデック，１６…変復調回路部，１７…記録再生部，１８…記憶部，１９…テレビ制御部，１９ａ…チューナ，１９ｂ…分離部，１９ｃ…画像処理部，１９ｄ…アンテナ，２０…録画制御部，２０ａ…録画予約情報記憶部，２１…操作キー，２２…液晶ディスプレイ，２３…マイクロフォン，２４…スピーカ，２５…送受信回路部，２６…アンテナ，３０…録画予約情報，４０…録画情報，５０…通信情報，６０…録画予約情報設定画面，Ｍ…メモリカード。
【図１】
2008306559.tif 000003
【図２】
2008306559.tif 000004
【図３】
2008306559.tif 000005
【図４】
2008306559.tif 000006
【図５】
2008306559.tif 000007
【図６】
2008306559.tif 000008